(57)【要約】【課題】植物育成光源から出射された光が誘虫光源や捕虫部によって遮られて植物育成に必要な光量を確保できないという不都合等を解消できる植物栽培用照明装置を提供する。【解決手段】植物栽培用照明装置１は、植物育成光源２と誘虫光源３とを備える。上記誘虫光源３は捕虫室１１内に配置される。上記捕虫室１１の上部には当該捕虫室１１内に通じる入口部１２が形成されている。上記捕虫室１１は、フレーム１４と、このフレーム１４の側面開口に配置された反射部材１５と、上記フレーム１４の下端部に配置された下カバー１６とにより形成されている。上記反射部材１５は、上記植物育成光源２から受けた光を当該植物育成光源２の照明方向に反射する。【選択図】図２
2013183705.tif 000002
【特許請求の範囲】
【請求項１】
植物の育成に寄与する波長分布の光を出射する植物育成光源と、虫を誘引する波長分布の光を出射する誘虫光源と、上記誘虫光源を囲うように配置されて捕虫室を形成するとともに上記植物育成光源から受けた光を当該植物育成光源の照明方向に反射する反射部材と、上記捕虫室内に通じる入口部と、を備えていることを特徴とする植物栽培用照明装置。
【請求項２】
請求項１に記載の植物栽培用照明装置において、上記誘虫光源から出射された光を反射する天板または天板側反射体を備えていることを特徴とする植物栽培用照明装置。
【請求項３】
請求項１または請求項２に記載の植物栽培用照明装置において、上記反射部材は上記捕虫室に対して着脱可能または開閉可能に設けられていることを特徴とする植物栽培用照明装置。
【請求項４】
請求項１〜請求項３のいずれか１項に記載の植物栽培用照明装置において、上記捕虫室内に捕虫用の粘着体が交換可能に設けられることを特徴とする植物栽培用照明装置。
【請求項５】
請求項１〜請求項４のいずれか１項に記載の植物栽培用照明装置において、上記植物育成光源から出射された光のうち上記入口部の方向に進む光が反射傘によって当該植物育成光源の照明方向に反射されることを特徴とする植物栽培用照明装置。
【発明の詳細な説明】
【技術分野】
【０００１】
この発明は、植物を栽培する植物栽培装置に用いられる植物栽培用照明装置に関する。
【背景技術】
【０００２】
植物栽培用照明装置は、植物の育成に寄与する波長分布の光を出射する蛍光管等の植物育成光源を備えている。また、上記植物育成光源に加えて虫を誘引する波長分布の光を出射する誘虫光源を備えた植物栽培用照明装置も知られており、例えば、特許文献１には、植物栽培面の上方に誘虫光源および捕虫部を配置する照明装置が提案されている。
【先行技術文献】
【特許文献】
【０００３】
【特許文献１】特開２００４−８１１００号公報
【発明の開示】
【発明が解決しようとする課題】
【０００４】
しかしながら、上記特許文献１に開示された照明装置では、上記植物育成光源から出射された光が上記誘虫光源および捕虫部によって遮られてしまい、植物育成に必要な光量を確保できない場合が生じる他、光量の不均一によって育成度合いにムラが生じることがある。
【０００５】
この発明は、上記の事情に鑑み、植物育成光源から出射された光が誘虫光源や捕虫部によって遮られて植物育成に必要な光量を確保できないという不都合および育成度合いにムラが生じるといった不都合を解消できる植物栽培用照明装置を提供することを課題とする。
【課題を解決するための手段】
【０００６】
この発明の植物栽培用照明装置は、上記の課題を解決するために、植物の育成に寄与する波長分布の光を出射する植物育成光源と、虫を誘引する波長分布の光を出射する誘虫光源と、上記誘虫光源を囲うように配置されて捕虫室を形成するとともに上記植物育成光源から受けた光を当該植物育成光源の照明方向に反射する反射部材と、上記捕虫室内に通じる入口部と、を備えていることを特徴とする。
【０００７】
上記構成であれば、上記誘虫光源を囲うように配置された上記反射部材により形成される上記捕虫室によって害虫の捕獲が行われる。また、上記捕虫室を形成する上記反射部材は上記植物育成光源から受けた光を当該植物育成光源の照明方向に反射するため、上記植物育成光源から出射された光が上記誘虫光源や捕虫室によって遮られて植物育成に必要な光量を確保できないという不都合および植物の育成度合いにムラが生じるといった不都合を解消することができる。
【０００８】
上記植物栽培用照明装置において、上記誘虫光源から出射された光を反射する天板または天板側反射体を備えていてもよい。このような構成であれば、上記誘虫光源から出射された光を上記天板または天板側反射体に反射させて上記入口部から上記捕虫室の外に導くことができる。すなわち、上記誘虫光源から出射された光は上記捕虫室の外に間接照明的に照射される。このため、上記誘虫光源から出射された光による栽培植物に対する影響が軽減される。
【０００９】
上記植物栽培用照明装置において、上記反射部材は上記捕虫室に対して着脱可能または開閉可能に設けられていてもよい。このような構成であれば、上記反射部材を上記捕虫室に対して取り外す或いは開けることで上記捕虫室の内部を露呈させることができるため、当該内部の清掃等が容易に行えることになる。
【００１０】
上記植物栽培用照明装置において、上記捕虫室内に捕虫用の粘着体が交換可能に設けられていてもよい。このような構成であれば、上記粘着体によって捕獲された虫を粘着体ごと簡単に取り出すことができる。
【００１１】
上記植物栽培用照明装置において、上記植物育成光源から出射された光のうち上記入口部の方向に進む光が反射傘によって当該植物育成光源の照明方向に反射されるようにしてもよい。このような構成であれば、上記植物育成光源から出射された光のうち上記入口部の方向に進む光が植物育成に利用されなくなるのを防止することができる。
【発明の効果】
【００１２】
本発明であれば、植物育成光源から出射された光が誘虫光源や捕虫室によって減じられて植物育成に必要な光量を確保できないという不都合および植物の育成度合いにムラが生じるといった不都合を解消できる等の効果を奏する。
【図面の簡単な説明】
【００１３】
【図１】本発明の一実施形態に係る植物栽培用照明装置を示した斜視図である。
【図２】図１の植物栽培用照明装置の詳細を示した斜視図である。
【図３】図２の植物栽培用照明装置の分解斜視図である。
【図４】同図（Ａ）は反射部材の着脱構造例を示した説明図であり、同図（Ｂ）は反射部材の開閉構造例を示した説明図である。
【図５】粘着シートが貼付された反射部材を示した斜視図である。
【図６】図２の植物栽培用照明装置における光反射態様を示した説明図である。
【図７】本発明の他の実施形態に係る植物栽培用照明装置における光反射態様を示した説明図である。
【図８】本発明の他の実施形態に係る植物栽培用照明装置における光反射態様を示した説明図である。
【図９】本発明の他の実施形態に係る植物栽培用照明装置における光反射態様を示した説明図である。
【図１０】本発明の他の実施形態に係る植物栽培用照明装置における光反射態様を示した説明図である。
【図１１】本発明の他の実施形態に係る植物栽培用照明装置における光反射態様を示した説明図である。
【図１２】図１の植物栽培用照明装置を用いた植物栽培装置の一例を示した概略図である。
【発明を実施するための最良の形態】
【００１４】
次に、この発明の実施形態に係る植物栽培用照明装置を添付図面に基づいて具体的に説明する。なお、本発明に係る植物栽培用照明装置は、下記の実施形態に示したものに限定されず、その要旨を変更しない範囲において適宜変更して実施できるものである。
【００１５】
図１に示すように、植物栽培用照明装置１は、複数の植物育成光源２と複数の誘虫光源３とを交互に備えている。上記植物育成光源２は、植物の育成に寄与する例えば４００ｎｍ〜７００ｎｍの波長帯の光を照射する蛍光管や発光ダイオード（ＬＥＤ）等からなる。また、上記誘虫光源３は虫を誘引する例えば３６５ｎｍを主波長とする波長帯の光（以下、誘虫光という）を照射する蛍光管や発光ダイオード等からなる。
【００１６】
上記誘虫光源３は下部側ほど狭くされた逆台形状の捕虫室１１内に配置されている。また、上記捕虫室１１の上部には当該捕虫室１１内に通じる入口部１２が形成されている。さらに、上記捕虫室１１の上部を覆うように天板１３が設けられている。この天板１３の下面には上記誘虫光源３が出射する誘虫光を拡散反射または鏡面反射する反射体が形成されている。また、上記天板１３によって上記植物育成光源２および上記誘虫光源３が支持されている。
【００１７】
上記植物栽培用照明装置１は植物育成領域４の上方に配置される。この植物育成領域４は例えば水耕栽培における栽培トレイであるが、このような水耕栽培以外の植物栽培においても当該植物栽培用照明装置１を利用できる。
【００１８】
図２及び図３に示すように、上記捕虫室１１は、フレーム１４と、このフレーム１４の側面開口に配置された反射部材１５と、上記フレーム１４の下端部に配置された下カバー１６とにより形成されている。上記反射部材１５は、上記植物育成光源２から受けた光を当該植物育成光源２の照明方向に拡散反射または鏡面反射する。また、上記下カバー１６は、上記誘虫光源３から受けた誘虫光を上記天板１３に向けて拡散反射または鏡面反射する。なお、この例では上記フレーム１４の側面開口に配置される全ての部材を反射部材１５としたが、最も端側の側面開口に配置する部材については光を反射する必要はなく、反射部材１５でなくてもよい。
【００１９】
上記反射部材１５の高さは上記フレーム１４の側面開口の高さよりも低くされており、上記反射部材１５が上記フレーム１４の側面開口に装着されると上記反射部材１５の上端側に上記入口部１２が形成される。上記反射部材１５は上記フレーム１４に着脱自在或いは開閉可能に設けられている。例えば、上記反射部材１５と上記フレーム１４の両方に磁石部を設けておくか、或いは一方に磁石部を形成し他方に磁性部を設けておく。勿論、このような磁石を用いる構成の他、図４（Ａ）に示すように、フック部１５ａを用いて着脱自在とする構成、或いは、蝶ねじを用いて着脱自在とする構成なども採用できる。また、図４（Ｂ）に示すように、蝶番１５ｂを上記反射部材１５の下端側（または上端側）に備え、上端側（または下端側）に磁石等を備えることで開閉自在な構造とすることができる。
【００２０】
図５に示すように、上記反射部材１５の裏面（上記捕虫室１１の側に位置する面）には、捕虫用の粘着シート２０が設けられている。この粘着シート２０は剥離可能に設けられており、定期或いは不定期で新しいものと交換できる。なお、上記粘着シート２０に虫を誘引する匂い成分を含有させておいてもよい。
【００２１】
図６は図２に示した植物栽培用照明装置１における光反射態様を示した説明図である。この図６に示すように、上記誘虫光源３から出射された誘虫光は上記捕虫室１１内から上記入口部１２を通って上記捕虫室１１外に出て行く。そして、上記誘虫光に誘われた害虫は上記入口部１２を通って上記捕虫室１１内に入り込み、上記粘着シート２０によって捕獲される。また、上記反射部材１５は上記植物育成光源２から受けた光を当該植物育成光源２の照明方向に反射する。これにより、上記植物育成光源２から出射された光が上記誘虫光源３や捕虫室１１によって遮られて植物育成に必要な光量を確保できないという不都合および植物の育成度合いにムラが生じるといった不都合を解消することができる。
【００２２】
また、この実施形態では、上記誘虫光源３から出射された誘虫光を反射する天板１３を有するので、上記誘虫光源３から出射された誘虫光が上記天板１３に反射されて上記入口部１２から上記捕虫室の外に導かれる。すなわち、上記誘虫光源３から出射された誘虫光は上記捕虫室１１の外へと間接照明的に照射される。このため、上記誘虫光源３から出射された誘虫光による栽培植物に対する影響が軽減される。
【００２３】
また、この実施形態では、上記反射部材１５は、上記フレーム１４に着脱可能或いは開閉自在に設けられている。このため、上記反射部材１５を上記フレーム１４から取り外す或いは開いて上記捕虫室１１の内部を露呈させることができ、当該内部の清掃等が容易に行える。また、上記のように上記捕虫室１１の内部を露呈させて上記誘虫光源３の交換を行うこともできる。さらに、上記反射部材１５における上記捕虫室１１の側に位置する面に捕虫用の粘着シート２０が交換可能に設けられているので、上記粘着シート２０によって捕獲された虫を粘着シート２０ごと簡単に取り出すことができる。なお、上記捕虫室１１の一列について複数設けた反射部材１５を個別に取り外すことができるので、十分に捕虫が行われた粘着シート２０だけを交換することが可能である。
【００２４】
また、上記植物育成光源２から出射された光のうち上記入口部１２の方向に進む光が上記植物育成光源２に被せた反射傘２ａの凹面によって当該植物育成光源２の照明方向に反射されるようにしている。このため、上記植物育成光源２から出射されて上記入口部１２の方向に進む光が植物育成に利用されなくなるのを防止することができる。
【００２５】
なお、上記誘虫光源３を上記捕虫室１１内の底付近に位置させると、虫が上記捕虫室１１の底側に来る機会が増えるので上記粘着シート２０による捕虫効率が高まると考えられる。勿論、このような構成に限るものではなく、例えば、図７に示すように、上記誘虫光源３を上記入口部１２と同じ高さに設けることとしてもよい。この場合、上記誘虫光源３から照射された誘虫光が直接に上記入口部１２から出て行き易くなるが、水平向きに出て行くので上記誘虫光が直接的に植物育成領域４に照射されるのを回避できる。また、上記捕虫室１１の外に直接出た誘虫光を上記植物育成光源２に被せた反射傘２ａの外側の凸面で反射させることもできる。また、上記植物育成光源２を上記誘虫光源３と同じ高さに設ける場合には、蛍光管ソケット等の部品共通化を図ることもできる。
【００２６】
また、図８に示すように、上記入口部１２の下端を上記誘虫光源３よりも低い位置まで延設してもよい。この場合、上記誘虫光源３から照射された誘虫光が水平より下向きに上記入口部１２から出て行きやすくなるが、上記誘虫光が上記入口部１２から出て行く経路上に上記植物育成光源２を設けておくと、上記捕虫室１１の外に直接出た誘虫光が上記植物育成領域４に直接的に照射されるのを防止できる。
【００２７】
また、図９に示すように、上記反射部材１５の下端側に入口部１２Ａを形成してもよい。この場合、上記入口部１２Ａから誘虫光が上記植物育成領域４に直接的に照射されないように上記反射部材１５の下端側に曲げ部（遮光部）などを形成してもよい。また、上記誘虫光源３からの誘虫光を拡散透過するように上記下カバー１６を磨ガラス状に形成しておいてもよい。
【００２８】
また、図１０に示すように、上記誘虫光源３の上方に天板側反射体１７を設けてもよい。このように天板側反射体１７を設ける場合には、天板１３の下面自体を反射体としなくてもよいことになる。
【００２９】
また、図１１に示すように、上記捕虫室１１の底部に誘虫光源３を設けてもよい。例えば、誘虫光源３を下カバー１６上に配置し、誘虫光の波長帯に対して透明となる透明カバー１８を上記誘虫光源３上に配置する。かかる構成の場合、捕虫室１１内に存在する突起物を少なくすることができるので、捕虫室１１内の清掃が容易になる。また、上記反射部材１５に上記粘着シート２０を設けるのではなく、吊り下げタイプの粘着シートを天板１３から吊り下げるようにしてもよい。
【００３０】
図１２は上記植物栽培用照明装置１を利用した植物栽培装置１０１の一例を示した説明図である。この植物栽培装置１０１は、栽培トレイ１０２を備える水耕栽培装置であるが、水耕栽培以外の植物栽培においても上記植物栽培用照明装置１を利用することができる。
【００３１】
上記植物栽培用照明装置１の下方に栽培トレイ１０２が配置される。上記栽培トレイ１０２内には、水耕ベッド１０２ａが配置されており、この水耕ベッド１０２ａに設けられた穴に栽培植物苗がセットされる。養液タンク１０３内に貯留されている養液は、養液循環システム１０５のポンプ１５１により汲み上げられて循環主パイプ１５２に供給され、この循環主パイプ１５２の先端部の２本の循環パイプ１５３から最上段の栽培トレイ１０２に供給される。各栽培トレイ１０２には、その下段側に位置する栽培トレイ１０２に養液を供給する循環パイプ１５４が設けられている。また、最下段に位置する栽培トレイ１０２の底部には養液戻しパイプ１５５が接続されている。
【００３２】
上記植物栽培用照明装置１において、上記植物育成光源２と上記誘虫光源３の点灯／消灯期間やタイミングついては何ら限定されるものではなく、例えば、上記植物育成光源２を消灯する数秒乃至数分前から上記誘虫光源３の点灯を開始するようにしてもよいし、その逆に上記植物育成光源２を消灯して数秒乃至数分経過した後から上記誘虫光源３の点灯を開始するようにしてもよい。また、上記植物育成光源２と上記誘虫光源３の同時点灯期間を数時間の長さに設定するようにしてもよい。
【００３３】
また、上記の実施形態では、上記粘着シートによって虫を捕獲するようにしたが、高電圧で虫を電撃捕獲するようにしてもよい。上記反射部材１５に粘着シートを貼付しない場合或いは当該粘着シートとして透明シートを用いる場合、上記反射部材１５を、例えば３８０ｎｍを境にそれ以上の長さの波長の光を反射し、それより短い波長の光を透過するダイクロイックミラーにより構成することも考えられる。この構成の場合には、上記誘虫光源３から下方側に照射された誘虫光を植物育成領域４のほぼ全体に導くことが可能であり、このような波長帯の光を活用して成長する植物の栽培に有利となる。また、上記捕虫室１１の両端面が開放されており、この両端面も当該捕虫室１１への入口部となるが、上記両端面閉鎖する構成を採用することも可能である。
【００３４】
また、上記の実施形態では、上記植物育成光源２と上記誘虫光源３とを交互に配置したが、このような交互配置に限らない。
【符号の説明】
【００３５】
１      植物栽培用照明装置
２      植物育成光源
２ａ    反射傘
３      誘虫光源
４      植物育成領域
１１    捕虫室
１２    入口部
１２Ａ  入口部
１３    天板
１４    フレーム
１５    反射部材
１６    下カバー
１７    天板側反射体
２０    粘着シート（粘着体）
【図１】
2013183705.tif 000003
【図２】
2013183705.tif 000004
【図３】
2013183705.tif 000005
【図４】
2013183705.tif 000006
【図５】
2013183705.tif 000007
【図６】
2013183705.tif 000008
【図７】
2013183705.tif 000009
【図８】
2013183705.tif 000010
【図９】
2013183705.tif 000011
【図１０】
2013183705.tif 000012
【図１１】
2013183705.tif 000013
【図１２】
2013183705.tif 000014